(57)【要約】【課題】自社商品と他社商品とを比較しながら説明することができ、説明を聞いた人が自社製品の優位性を容易に理解することのできる説明用パネルを提供する。【解決手段】説明用パネルを、比較対象である複数の商品が列ごとに区分されてそれぞれの商品における比較項目が行ごとに区分された対比表１１が上面に記された下側パネル１０と、下側パネル１０の上面に載置されて対比表１１の列の方向にスライド可能な状態で保持された上側パネル２０とで構成し、上側パネル２０を対比表１１の列の方向に沿って奥側から手前側へスライドさせることにより、対比表１１を奥側から手前側へ順次露出させていき、複数の商品を比較項目ごとに比較しながら説明することができるようにした。【選択図】図３
0003173443.tif 000002
【実用新案登録請求の範囲】
【請求項１】
比較対象である複数の商品が列ごとに区分され、それぞれの商品における比較項目が行ごとに区分された対比表が上面に記された下側パネルと、
下側パネルの上面に載置され、前記対比表の列の方向にスライド可能な状態で保持された上側パネルと、
で構成され、
上側パネルを前記対比表の列の方向に沿って奥側から手前側へスライドさせることにより、前記対比表を奥側から手前側へ順次露出させていき、複数の商品を比較項目ごとに比較しながら説明することができるようにしたことを特徴とする説明用パネル。
【請求項２】
下側パネルの一対の側縁に沿ってガイドレールが取り付けられ、該ガイドレールに沿って上側パネルがスライドするようにした請求項１記載の説明用パネル。
【請求項３】
下側パネルにおける前記対比表の奥側に、それぞれの商品を表わした立体模型が前記対比表の列ごとに固定された請求項１又は２記載の説明用パネル。
【請求項４】
前記立体模型が、下側パネルに固定された本体と、該本体の上部に対して開閉可能に固定された蓋体とで構成され、
該蓋体を開くことにより、前記本体の上面及び／又は前記蓋体の下面に記された商品の説明を露出させることができるようにした請求項３記載の説明用パネル。
【請求項５】
前記商品が住宅であり、前記比較項目が住宅ローン支払額と光熱費との毎月の合計支払額及び／又は年累計とされ、
前記立体模型が住宅模型とされ、前記本体が住宅の本体部で、前記蓋体が住宅の屋根部とされた請求項３又は４記載の説明用パネル。
【考案の詳細な説明】
【技術分野】
【０００１】
本考案は、自社商品を説明する際などに好適に用いることのできる説明用パネルに関する。
【背景技術】
【０００２】
自社商品を説明する際に使用される説明用具としては、これまでに各種のものが提案されている。例えば、特許文献１には、保持板に対して複数の表示体を着脱可能に保持させ、それぞれの表示体を配置又は除去しながら商品を説明することができるようにした商品等の説明用表示装置が提案されている。また、特許文献２には、特定製品の製品表示が書かれたメインボードと、比較対象の複数の製品の製品表示が書かれた可動ボードとを備え、メインボードに、可動ボードに書かれたいずれか１つの比較対象の製品の製品表示を露出させる部分を設けた製品比較ボードが提案されている。
【０００３】
しかし、特許文献１の説明用表示装置は、表示体の配置又は除去の手順が複雑で、商品の種類に応じた手順を予め習得しておく必要がある。また、部品（特に表示体）が紛失するおそれもある。さらに、特許文献１の説明用表示装置は、自社商品を他社商品と比較しながら説明できるような構造となっておらず、自社商品の優位性を説明しにくいものとなっている。これに対し、特許文献２の製品比較ボードは、自社商品を他社商品と比較できる構造になっているものの、一度に表示できるのは１種類の商品のみである。したがって、特許文献２の製品比較ボードは、自社商品と他社商品を購入した場合のローン支払額を年ごとに比較しながら説明するなど、多数の項目を比較しながら時系列で順番に説明する場合などには適していなかった。
【先行技術文献】
【特許文献】
【０００４】
【特許文献１】特開平１１−２４２４３８号公報
【特許文献２】特開２００１−３５６７１５号公報
【考案の概要】
【考案が解決しようとする課題】
【０００５】
本考案は、上記課題を解決するためになされたものであり、自社商品と他社商品とを比較しながら説明することができ、説明を聞いた人が自社製品の優位性を容易に理解することのできる説明用パネルを提供するものである。また、自社商品を購入した場合のローン支払額と他社商品を購入した場合のローン支払額とを商品ごとに比較しながら説明するなど、多数の項目を比較しながら時系列で順番に説明する場合にも好適に使用することのできる説明用パネルを提供することも本考案の目的である。さらに、説明者が説明内容を予め暗記しておかなくても、それを操作しながら自然な流れで説明することのできる説明用パネルを提供することも本考案の目的である。
【課題を解決するための手段】
【０００６】
上記課題は、比較対象である複数の商品が列ごとに区分され、それぞれの商品における比較項目が行ごとに区分された対比表が上面に記された下側パネルと、下側パネルの上面に載置され、前記対比表の列の方向にスライド可能な状態で保持された上側パネルとで構成され、上側パネルを前記対比表の列の方向に沿って奥側から手前側へスライドさせることにより、前記対比表を奥側から手前側へ順次露出させていき、複数の商品を比較項目ごとに比較しながら説明することができるようにしたことを特徴とする説明用パネルを提供することによって解決される。
【０００７】
本考案の説明用パネルにおいて、上側パネルをスライドさせるための機構は、特に限定されないが、下側パネルの一対の側縁に沿ってガイドレールを取り付け、該ガイドレールに沿って上側パネルがスライドするようにすると好ましい。これにより、簡素な機構で下側パネルを容易かつ円滑にスライドさせることが可能になる。
【０００８】
また、本考案の説明用パネルにおいて、下側パネルにおける前記対比表の奥側に、それぞれの商品を表わした立体模型を前記対比表の列ごとに固定することも好ましい。これにより、それぞれの商品を視覚的に認識することが可能になり、説明を聞く人がさらに理解しやすくすることができる。
【０００９】
このとき、前記立体模型を、下側パネルに固定された本体と、該本体の上部に対して開閉可能に固定された蓋体とで構成し、該蓋体を開くことにより、前記本体の上面及び／又は前記蓋体の下面に記された商品の説明を露出させることができるようにすることも好ましい。これにより、「どの商品が一番得か？」などの質問事項に対する答えを、本体の上面や蓋体の下面に予め記しておき、説明を受ける人が答えた後に、前記蓋体を開くことにより、その正解を示すことが可能になる。
【００１０】
本考案の説明用パネルを用いて説明する商品は、特に限定されないが、住宅であると好ましい。この場合には、前記立体模型を住宅模型とし、前記本体を住宅の本体部とし、前記蓋体を住宅の屋根部とする。住宅は、一生で一番大きな買い物であることに加えて、検討すべき比較項目が多く、どの会社の住宅を建てるかの判断は容易ではない。しかし、本考案の説明用パネルを用いて説明することにより、多くの比較項目を分かりやすく説明することが可能になる。
【００１１】
このとき、前記比較項目を、住宅ローン支払額と光熱費との毎月の合計支払額及び／又は年累計とすると好ましい。住宅ローン支払額は、住宅を購入する際の重要な判断要素となる。しかし、実際には、住宅ローン支払額だけを考慮すべきではなく、光熱費などのランニングコストも合わせて考慮する必要がある。本考案の説明用パネルを用いると、例えば、１年目は、住宅ローン支払額の年累計が６９．６万円（月５．８万円）、光熱費の年累計が太陽光発電による売電を考慮して年−１４．４万円（月−１．２万円）で、その合計が５５．２万円（月４．６万円）、３年目は、住宅ローン支払額の年累計が約２０８万円（月５．８万円）、光熱費の年累計が太陽光発電による売電を考慮して年約−４３万円（月−１．２万円）で、その合計が約１６５万円（月４．６万円）といった具合に、時系列に従って説明することも容易である。また、将来の住宅ローン金利の上昇などを反映させて説明することも容易である。さらに、自社の特定の商品についてだけでなく、自社の他の商品や、他社の商品を時系列で比較しながら説明することも容易である。
【考案の効果】
【００１２】
以上のように、自社商品と他社商品とを比較しながら説明することができ、説明を聞いた人が自社製品の優位性を容易に理解することのできる説明用パネルを提供することが可能になる。また、自社商品を購入した場合のローン支払額と他社商品を購入した場合のローン支払額とを商品ごとに比較しながら説明するなど、多数の項目を比較しながら時系列で順番に説明する場合にも好適に使用することのできる説明用パネルを提供することも可能になる。さらに、説明者が説明内容を予め暗記しておかなくても、それを操作しながら自然な流れで説明することのできる説明用パネルを提供することも可能になる。
【図面の簡単な説明】
【００１３】
【図１】本考案の説明用パネルにおいて、上側パネルを奥側の限界位置までスライドさせた状態を示した斜視図である。
【図２】本考案の説明用パネルにおいて、上側パネルを図１に示す状態よりも手前側にスライドさせた状態を示した斜視図である。
【図３】本考案の説明用パネルにおいて、上側パネルを手前側の限界位置までスライドさせ、立体模型の蓋体を開いた状態を示した斜視図である。
【図４】本考案の説明用パネルにおける下側パネルの上面に記す対比表の一例を示した平面図である。
【図５】本考案の説明用パネルにおける上側パネルの上面に記す対比表の一例を示した平面図である。
【図６】本考案の説明用パネルにおける立体模型の本体の上面及び蓋体の下面に記す内容の一例を示した図である。
【図７】本考案の説明用パネルにおいて、上側パネルを奥側の限界位置までスライドさせた状態を示した平面図である。
【図８】本考案の説明用パネルにおいて、上側パネルを図７に示す状態よりも手前側にスライドさせた状態を示した平面図である。
【図９】本考案の説明用パネルにおいて、上側パネルを手前側の限界位置までスライドさせた状態を示した平面図である。
【考案を実施するための形態】
【００１４】
１．説明用パネルの概要
本考案の説明用パネルの好適な実施態様について、図面を用いてより具体的に説明する。図１は、本考案の説明用パネルにおいて、上側パネル２０を奥側の限界位置までスライドさせた状態を示した斜視図である。図２は、本考案の説明用パネルにおいて、上側パネル２０を図１に示す状態よりも手前側にスライドさせた状態を示した斜視図である。図３は、本考案の説明用パネルにおいて、上側パネル２０を手前側の限界位置までスライドさせ、立体模型３０の蓋体３２を開いた状態を示した斜視図である。
【００１５】
本実施態様の説明用パネルは、図１〜３に示すように、下側パネル１０と、下側パネル１０の上面に対して前後方向（下側パネル１０の奥側から手前側）へスライド可能な状態で載置された上側パネル２０と、下側パネル１０の後部（奥側）に固定された立体模型３０と、下側パネル１０の一対の側縁に沿って取り付けられたガイドレール４０とで構成されている。下側パネル１０の上面には、図２，３に示すように、比較対象である複数の商品が列（前後方向の列）ごとに区分され、それぞれの商品における比較項目が行（左右方向の列）ごとに区分された対比表１１が記されている。この説明用パネルは、上側パネル２０をガイドレール４０に沿って奥側から手前側へスライドさせることにより、対比表１１を奥側から手前側へ順次露出させていき、複数の商品を比較項目ごとに比較しながら説明することができるものとなっている。
【００１６】
本実施態様の説明用パネルは、４種類の住宅（商品）を比較しながら説明するものとなっており、立体模型３０は、住宅模型となっているが、本考案の説明用パネルを用いて説明する商品は、住宅に限定されず、各種の商品を採用することができる。この場合、立体模型３０も、それぞれの商品に応じた形態のものが採用される。
【００１７】
２．下側パネル
下側パネル１０の形状は、特に限定されないが、通常、平面視長方形とされる。また、下側パネル１０の寸法も、特に限定されないが、通常、持ち運びできる程度の寸法とされる。本実施態様の説明用パネルにおいては、縦（前後方向の長さ）が５０ｃｍで、幅（左右方向の長さ）が９０ｃｍの長方形のパネルを下側パネル１０として用いている。さらに、下側パネル１０は、可撓性を有する素材であってもよいが、通常、持ち上げても撓まない程度の剛性を有する素材で形成される。具体的には、厚紙や、発泡スチロールなどの発泡樹脂製板や、アクリルなどの硬質樹脂板が例示される。対比表１１は、これらの素材に直接印刷するなどしてもよいが、対比表１１が印刷された紙を前記素材の上面に貼り付けると、下側パネル１０の上面に対比表１１を容易に記すことができる。下側パネル１０は、持ち運び容易なように、折り畳み可能な構造としてもよい。
【００１８】（公序良俗違反につき、不掲載）
【００１９】（公序良俗違反につき、不掲載）
【００２０】（公序良俗違反につき、不掲載）
【００２１】
３．上側パネル
上側パネル２０は、図１〜３に示すように、下側パネル１０の上面に記された対比表１１を覆い隠すとともに、下側パネル１０の上面に沿って対比表１１の列方向にスライドさせることにより、対比表１１に記された内容を行ごとに露出させていくためのものとなっている。上側パネル２０の上面には、何も記さなくてもよいが、本実施態様の説明用パネルにおいては、上側パネル２０の上面に、比較表１１とは別の対比表２１を記している。上側パネル２０の形状は、特に限定されないが、通常、平面視長方形とされる。また、下側パネル１０の寸法は、特に限定されない。本実施態様の説明用パネルにおいては、縦（前後方向の長さ）が３４ｃｍで、幅（左右方向の長さ）が９０ｃｍの長方形のパネルを上側パネル２０として用いている。上側パネル２０の素材については、下側パネル１０と同様の素材を採用することができ、対比表２１の印刷方法については、下側パネル１０における対比表１１と同様の方法を採用することができる。
【００２２】（公序良俗違反につき、不掲載）
【００２３】
また、上側パネル２０における対比表２１の下部には、「同じ大きさの家で、高い家と安い家・太陽光（太陽光発電設備）が付いた家と付かない家／ローン（住宅ローン）と光熱費を合わせて、月々の支払いが一番安いのはどれ？？」という質問を記している。この質問は、図１に示すように、上側パネル２０を奥側の限界位置までスライドさせ、下側パネル１０の上面の対比表１１が全て隠れた状態で、説明をする人から説明を受ける人に投げかけられる。質問を受けた人は、対比表２１の記載内容などから正解を予想して答える。この質問に対する正解は、後述する住宅模型３０における本体部３１の上面や屋根部３２の下面に記しておくが、図１の状態においては、屋根部３２が閉じられた状態となっており、説明を受ける人は、その正解を知ることができないようになっている。
【００２４】
４．住宅模型
本実施態様の説明用パネルにおいては、図１〜３に示すように、４つの住宅模型（立体模型）３０を設けている。それぞれの住宅模型３０は、上述した４つのタイプのそれぞれの住宅に対応した形態を有している。それぞれの住宅模型３０は、下側パネル１０の上面に固定された本体部（本体）３１と、本体部３１の上部に対して開閉可能に固定された屋根部（蓋体）３２とで構成されている。本体部３１と屋根部３２は、図示省略のヒンジを介してその後端部同士を連結されている。また、本体部３１の側面と屋根部３２の側面は、図示省略の紐材（チェーンなど）によって連結されている。このため、図３に示すように、屋根部３２を開いて、屋根部３２の下面が鉛直となる場所まで移動した際に、その場所で屋根部３２が留まるようになっている。屋根部３２を開くことにより、本体部３１の上面及び屋根部３２の下面に記された内容が露出させることができる。
【００２５】（公序良俗違反につき、不掲載）
【００２６】
５．ガイドレール
本実施態様の説明用パネルにおいては、図１〜３に示すように、断面コの字形の一対の金属製のレールをガイドレール４０として使用している。それぞれのガイドレール４０は、下側パネル１０に固定されているものの、上側パネル２０には固定されていない。このため、上側パネル２０の側部は、ガイドレール４０に保持されながらも、ガイドレール４０に対してスライドすることができるようになっている。下側パネル１０に対して上側パネル２０をスライドさせることができるのであれば、上側パネル２０のガイド手段は、このガイドレール４０を使用したものに限定されず、各種の構造のものを採用することができる。
【００２７】
６．本考案の説明用パネルを用いた商品の説明方法
続いて、図１〜３に示した説明用パネルを用いた住宅（商品）の説明方法について説明する。図７は、本考案の説明用パネルにおいて、上側パネル２０を奥側の限界位置までスライドさせた状態を示した平面図である。図８は、本考案の説明用パネルにおいて、上側パネル２０を図７に示す状態よりも手前側にスライドさせた状態を示した平面図である。図９は、本考案の説明用パネルにおいて、上側パネル２０を手前側の限界位置までスライドさせた状態を示した平面図である。以下の内容は、あくまで一例であり、本考案の説明用パネルの使用方法を限定するものではない。
【００２８】（公序良俗違反につき、不掲載）
【００２９】
被説明者から回答が得られると、説明者は、「それでは正解を確認してみましょう。」などと言い、図８に示すように、上側パネル２０を徐々に手前側へスライドさせていき、下側パネル１０の上面に記された対比表１１を行ごとに露出させていく。このとき、説明者は、「Ａ社の３ｋＷ太陽光発電の住宅は、３年目で月々実質８．５万円の支払額で・・・」といった具合に、現れた内容を順次説明していく。これにより、被説明者は、何年後にどれくらいの負担額となるのかを容易かつ時系列を追って理解することができる。また、説明者は、現れてくる内容を見ながら説明することができるので、説明内容を予め暗記しておく必要もない。これを最後（３５年目）まで繰り返し、図９に示すように、上側パネル２０を手前側の限界位置までスライドさせ、その順位を発表する。
【００３０】（公序良俗違反につき、不掲載）
【００３１】
ところで、本例では、最後に住宅模型３０の屋根部３２を開いて正解を発表する形をとったが、被説明者からの回答を得た後に住宅模型３０の屋根部３２を開いて正解を発表し、その後、上側パネル２０を手前側へスライドさせていくことにより、その種明かしをするという順序で説明してもよい。どのような順序を経るかは、説明する商品の種類や、状況などに応じて適宜変更することができる。
【符号の説明】
【００３２】
１０  下側パネル
１１  対比表
２０  上側パネル
２１  対比表
３０  住宅模型（立体模型）
３１  住宅の本体部（本体）
３２  住宅の屋根部（蓋体）
４０  ガイドレール
【図１】
0003173443.tif 000003
【図２】
0003173443.tif 000004
【図３】
0003173443.tif 000005
【図４】
0003173443.tif 000006
【図５】
0003173443.tif 000007
【図６】
0003173443.tif 000008
【図７】
0003173443.tif 000009
【図８】
0003173443.tif 000010
【図９】
0003173443.tif 000011
【手続補正書】
【提出日】平成23年12月7日(2011.12.7)
【手続補正１】
【補正対象書類名】明細書
【補正対象項目名】全文
【補正方法】変更
【補正の内容】
【考案の詳細な説明】
【技術分野】
【０００１】
本考案は、自社商品を説明する際などに好適に用いることのできる説明用パネルに関する。
【背景技術】
【０００２】
自社商品を説明する際に使用される説明用具としては、これまでに各種のものが提案されている。例えば、特許文献１には、保持板に対して複数の表示体を着脱可能に保持させ、それぞれの表示体を配置又は除去しながら商品を説明することができるようにした商品等の説明用表示装置が提案されている。また、特許文献２には、特定製品の製品表示が書かれたメインボードと、比較対象の複数の製品の製品表示が書かれた可動ボードとを備え、メインボードに、可動ボードに書かれたいずれか１つの比較対象の製品の製品表示を露出させる部分を設けた製品比較ボードが提案されている。
【０００３】
しかし、特許文献１の説明用表示装置は、表示体の配置又は除去の手順が複雑で、商品の種類に応じた手順を予め習得しておく必要がある。また、部品（特に表示体）が紛失するおそれもある。さらに、特許文献１の説明用表示装置は、自社商品を他社商品と比較しながら説明できるような構造となっておらず、自社商品の優位性を説明しにくいものとなっている。これに対し、特許文献２の製品比較ボードは、自社商品を他社商品と比較できる構造になっているものの、一度に表示できるのは１種類の商品のみである。したがって、特許文献２の製品比較ボードは、自社商品と他社商品を購入した場合のローン支払額を年ごとに比較しながら説明するなど、多数の項目を比較しながら時系列で順番に説明する場合などには適していなかった。
【先行技術文献】
【特許文献】
【０００４】
【特許文献１】特開平１１−２４２４３８号公報
【特許文献２】特開２００１−３５６７１５号公報
【考案の概要】
【考案が解決しようとする課題】
【０００５】
本考案は、上記課題を解決するためになされたものであり、自社商品と他社商品とを比較しながら説明することができ、説明を聞いた人が自社製品の優位性を容易に理解することのできる説明用パネルを提供するものである。また、自社商品を購入した場合のローン支払額と他社商品を購入した場合のローン支払額とを商品ごとに比較しながら説明するなど、多数の項目を比較しながら時系列で順番に説明する場合にも好適に使用することのできる説明用パネルを提供することも本考案の目的である。さらに、説明者が説明内容を予め暗記しておかなくても、それを操作しながら自然な流れで説明することのできる説明用パネルを提供することも本考案の目的である。
【課題を解決するための手段】
【０００６】
上記課題は、比較対象である複数の商品が列ごとに区分され、それぞれの商品における比較項目が行ごとに区分された対比表が上面に記された下側パネルと、下側パネルの上面に載置され、前記対比表の列の方向にスライド可能な状態で保持された上側パネルとで構成され、上側パネルを前記対比表の列の方向に沿って奥側から手前側へスライドさせることにより、前記対比表を奥側から手前側へ順次露出させていき、複数の商品を比較項目ごとに比較しながら説明することができるようにしたことを特徴とする説明用パネルを提供することによって解決される。
【０００７】
本考案の説明用パネルにおいて、上側パネルをスライドさせるための機構は、特に限定されないが、下側パネルの一対の側縁に沿ってガイドレールを取り付け、該ガイドレールに沿って上側パネルがスライドするようにすると好ましい。これにより、簡素な機構で下側パネルを容易かつ円滑にスライドさせることが可能になる。
【０００８】
また、本考案の説明用パネルにおいて、下側パネルにおける前記対比表の奥側に、それぞれの商品を表わした立体模型を前記対比表の列ごとに固定することも好ましい。これにより、それぞれの商品を視覚的に認識することが可能になり、説明を聞く人がさらに理解しやすくすることができる。
【０００９】
このとき、前記立体模型を、下側パネルに固定された本体と、該本体の上部に対して開閉可能に固定された蓋体とで構成し、該蓋体を開くことにより、前記本体の上面及び／又は前記蓋体の下面に記された商品の説明を露出させることができるようにすることも好ましい。これにより、「どの商品が一番得か？」などの質問事項に対する答えを、本体の上面や蓋体の下面に予め記しておき、説明を受ける人が答えた後に、前記蓋体を開くことにより、その正解を示すことが可能になる。
【００１０】
本考案の説明用パネルを用いて説明する商品は、特に限定されないが、住宅であると好ましい。この場合には、前記立体模型を住宅模型とし、前記本体を住宅の本体部とし、前記蓋体を住宅の屋根部とする。住宅は、一生で一番大きな買い物であることに加えて、検討すべき比較項目が多く、どの会社の住宅を建てるかの判断は容易ではない。しかし、本考案の説明用パネルを用いて説明することにより、多くの比較項目を分かりやすく説明することが可能になる。
【００１１】
このとき、前記比較項目を、住宅ローン支払額と光熱費との毎月の合計支払額及び／又は年累計とすると好ましい。住宅ローン支払額は、住宅を購入する際の重要な判断要素となる。しかし、実際には、住宅ローン支払額だけを考慮すべきではなく、光熱費などのランニングコストも合わせて考慮する必要がある。本考案の説明用パネルを用いると、例えば、１年目は、住宅ローン支払額の年累計が６９．６万円（月５．８万円）、光熱費の年累計が太陽光発電による売電を考慮して年−１４．４万円（月−１．２万円）で、その合計が５５．２万円（月４．６万円）、３年目は、住宅ローン支払額の年累計が約２０８万円（月５．８万円）、光熱費の年累計が太陽光発電による売電を考慮して年約−４３万円（月−１．２万円）で、その合計が約１６５万円（月４．６万円）といった具合に、時系列に従って説明することも容易である。また、将来の住宅ローン金利の上昇などを反映させて説明することも容易である。さらに、自社の特定の商品についてだけでなく、自社の他の商品や、他社の商品を時系列で比較しながら説明することも容易である。
【考案の効果】
【００１２】
以上のように、自社商品と他社商品とを比較しながら説明することができ、説明を聞いた人が自社製品の優位性を容易に理解することのできる説明用パネルを提供することが可能になる。また、自社商品を購入した場合のローン支払額と他社商品を購入した場合のローン支払額とを商品ごとに比較しながら説明するなど、多数の項目を比較しながら時系列で順番に説明する場合にも好適に使用することのできる説明用パネルを提供することも可能になる。さらに、説明者が説明内容を予め暗記しておかなくても、それを操作しながら自然な流れで説明することのできる説明用パネルを提供することも可能になる。
【図面の簡単な説明】
【００１３】
【図１】本考案の説明用パネルにおいて、上側パネルを奥側の限界位置までスライドさせた状態を示した斜視図である。
【図２】本考案の説明用パネルにおいて、上側パネルを図１に示す状態よりも手前側にスライドさせた状態を示した斜視図である。
【図３】本考案の説明用パネルにおいて、上側パネルを手前側の限界位置までスライドさせ、立体模型の蓋体を開いた状態を示した斜視図である。
【図４】本考案の説明用パネルにおける下側パネルの上面に記す対比表の一例を示した平面図である。
【図５】本考案の説明用パネルにおける上側パネルの上面に記す対比表の一例を示した平面図である。
【図６】本考案の説明用パネルにおける立体模型の本体の上面及び蓋体の下面に記す内容の一例を示した図である。
【図７】本考案の説明用パネルにおいて、上側パネルを奥側の限界位置までスライドさせた状態を示した平面図である。
【図８】本考案の説明用パネルにおいて、上側パネルを図７に示す状態よりも手前側にスライドさせた状態を示した平面図である。
【図９】本考案の説明用パネルにおいて、上側パネルを手前側の限界位置までスライドさせた状態を示した平面図である。
【考案を実施するための形態】
【００１４】
１．説明用パネルの概要
本考案の説明用パネルの好適な実施態様について、図面を用いてより具体的に説明する。図１は、本考案の説明用パネルにおいて、上側パネル２０を奥側の限界位置までスライドさせた状態を示した斜視図である。図２は、本考案の説明用パネルにおいて、上側パネル２０を図１に示す状態よりも手前側にスライドさせた状態を示した斜視図である。図３は、本考案の説明用パネルにおいて、上側パネル２０を手前側の限界位置までスライドさせ、立体模型３０の蓋体３２を開いた状態を示した斜視図である。
【００１５】
本実施態様の説明用パネルは、図１〜３に示すように、下側パネル１０と、下側パネル１０の上面に対して前後方向（下側パネル１０の奥側から手前側）へスライド可能な状態で載置された上側パネル２０と、下側パネル１０の後部（奥側）に固定された立体模型３０と、下側パネル１０の一対の側縁に沿って取り付けられたガイドレール４０とで構成されている。下側パネル１０の上面には、図２，３に示すように、比較対象である複数の商品が列（前後方向の列）ごとに区分され、それぞれの商品における比較項目が行（左右方向の列）ごとに区分された対比表１１が記されている。この説明用パネルは、上側パネル２０をガイドレール４０に沿って奥側から手前側へスライドさせることにより、対比表１１を奥側から手前側へ順次露出させていき、複数の商品を比較項目ごとに比較しながら説明することができるものとなっている。
【００１６】
本実施態様の説明用パネルは、４種類の住宅（商品）を比較しながら説明するものとなっており、立体模型３０は、住宅模型となっているが、本考案の説明用パネルを用いて説明する商品は、住宅に限定されず、各種の商品を採用することができる。この場合、立体模型３０も、それぞれの商品に応じた形態のものが採用される。
【００１７】
２．下側パネル
下側パネル１０の形状は、特に限定されないが、通常、平面視長方形とされる。また、下側パネル１０の寸法も、特に限定されないが、通常、持ち運びできる程度の寸法とされる。本実施態様の説明用パネルにおいては、縦（前後方向の長さ）が５０ｃｍで、幅（左右方向の長さ）が９０ｃｍの長方形のパネルを下側パネル１０として用いている。さらに、下側パネル１０は、可撓性を有する素材であってもよいが、通常、持ち上げても撓まない程度の剛性を有する素材で形成される。具体的には、厚紙や、発泡スチロールなどの発泡樹脂製板や、アクリルなどの硬質樹脂板が例示される。対比表１１は、これらの素材に直接印刷するなどしてもよいが、対比表１１が印刷された紙を前記素材の上面に貼り付けると、下側パネル１０の上面に対比表１１を容易に記すことができる。下側パネル１０は、持ち運び容易なように、折り畳み可能な構造としてもよい。
【００１８】
下側パネル１０の上面に記す対比表１１の種類は、特に限定されないが、本実施態様の説明用パネルにおいては、図４に示す対比表を対比表１１として採用している。図４は、本考案の説明用パネルにおける下側パネル１０の上面に記す対比表１１の一例を示した平面図である。この対比表は、図４に示すように、左側から順に、「Ａ社の３ｋＷ太陽光発電設備有りの住宅」、「Ａ社の太陽光発電設備無しの住宅」、「Ｂ社の太陽光発電設備無しの住宅」及び「Ｂ社の太陽光発電設備有りの住宅」の４種類の住宅を比較するものとなっている。この対比表における上部の「Ａ社／３ｋＷ太陽光発電」、「Ａ社／太陽光発電なし」、「Ｂ社／太陽光発電なし」及び「Ｂ社／太陽光発電あり」と記載された枠内には、図１〜３に示すように、上記の４種類の住宅に対応する住宅模型３０が固定される。
【００１９】
図４に示す対比表についてより詳しく説明する。図４の対比表は、それぞれの住宅ごとに、左側から右側に向かって「支払年数」、「住宅ローン」（住宅ローン支払額）、「光熱費オール電化」（オール電化住宅とした場合の光熱費支払額）、「ローンと光熱費の合計」（住宅ローン支払い額と光熱費支払額の合計）の列項目が設けられている。「Ａ社の太陽光発電設備無しの住宅」と「Ｂ社の太陽光発電設備無しの住宅」の欄には、「オール電化」の列項目の代わりに、「ガス代／電気代」（ガス代と電気代の支払額の合計）の列項目で差し替えた表も記している。また、「Ｂ社の太陽光発電設備有りの住宅」の欄は、太陽光発電設備による発電量が４ｋＷである場合を示す「４ｋＷ」の列項目と、太陽光発電設備による発電量が６ｋＷである場合を示す「６ｋＷ」の列項目とに分けて記している。
【００２０】
一方、図４に示す対比表は、それぞれの住宅ごとに、上側から下側に向かって、「１年」、「３年」、「５年」、「１０年」、「１５年」、「２０年」、「３０年」、「３５年」の行項目が設けられている。それぞれの行項目は、さらに、「毎月」（毎月の支払額）と「年累計」（その年までの支払額合計）の行項目に区分されている。対比表の上部には、それぞれの住宅についての備考欄が設けられている。一方、対比表の下部には、３５年累計で見た住宅ローン支払い額と光熱費支払額の合計の住宅ごとのランキングが記されている。この対比表により、コスト的に一番有利なのはどの住宅なのかが一目で分かるようになっている。図４を見ると、「Ｂ社の太陽光発電設備有り（６ｋＷ）の住宅」が２，４４０万円で１位であり、「Ｂ社の太陽光発電設備有り（４ｋｗ）の住宅」が２，４７６万円で２位であり、「Ｂ社の太陽光発電設備無し（オール電化）の住宅」が２，５８６万円で３位であり、「Ｂ社の太陽光発電設備無し（非オール電化）の住宅」が３，０９０万円で４位であり、上位を独占していることが一目でわかる。また、支払年数ごとの支払額も分かるようになっており、将来の家計を考慮しながら、説明することもできるようになっている。
【００２１】
３．上側パネル
上側パネル２０は、図１〜３に示すように、下側パネル１０の上面に記された対比表１１を覆い隠すとともに、下側パネル１０の上面に沿って対比表１１の列方向にスライドさせることにより、対比表１１に記された内容を行ごとに露出させていくためのものとなっている。上側パネル２０の上面には、何も記さなくてもよいが、本実施態様の説明用パネルにおいては、上側パネル２０の上面に、比較表１１とは別の対比表２１を記している。上側パネル２０の形状は、特に限定されないが、通常、平面視長方形とされる。また、下側パネル１０の寸法は、特に限定されない。本実施態様の説明用パネルにおいては、縦（前後方向の長さ）が３４ｃｍで、幅（左右方向の長さ）が９０ｃｍの長方形のパネルを上側パネル２０として用いている。上側パネル２０の素材については、下側パネル１０と同様の素材を採用することができ、対比表２１の印刷方法については、下側パネル１０における対比表１１と同様の方法を採用することができる。
【００２２】
上側パネル２０の上面に記す対比表２１の種類は、特に限定されないが、本実施態様の説明用パネルにおいては、図５に示す対比表を対比表２１として採用している。図５は、本考案の説明用パネルにおける上側パネル２０の上面に記す対比表２１の一例を示した平面図である。この対比表は、図５に示すように、左側から順に、「Ａ社の４ｋｗ〜３ｋＷ太陽光発電設備付きの住宅」、「Ａ社の太陽光発電設備無しの住宅」、「Ｂ社の太陽光発電設備無しの住宅」及び「Ｂ社の６ｋＷ〜４ｋＷの太陽光発電設備付きの住宅」の４種類の住宅の建物価格と、オプション追加価格又は追加・変更価格との合計金額を示したものとなっている。その合計金額は、左側から順に、「２，８００万円」、「２，６００万円」、「１，６４５万円」及び「１，９７０万円」となっており、「Ｂ社の太陽光発電設備無しの住宅」、「Ｂ社の６ｋＷ〜４ｋＷの太陽光発電設備付きの住宅」、「Ａ社の太陽光発電設備無しの住宅」、「Ａ社の４ｋｗ〜３ｋＷ太陽光発電設備付きの住宅」の順に高くなっている。
【００２３】
また、上側パネル２０における対比表２１の下部には、「同じ大きさの家で、高い家と安い家・太陽光（太陽光発電設備）が付いた家と付かない家／ローン（住宅ローン）と光熱費を合わせて、月々の支払いが一番安いのはどれ？？」という質問を記している。この質問は、図１に示すように、上側パネル２０を奥側の限界位置までスライドさせ、下側パネル１０の上面の対比表１１が全て隠れた状態で、説明をする人から説明を受ける人に投げかけられる。質問を受けた人は、対比表２１の記載内容などから正解を予想して答える。この質問に対する正解は、後述する住宅模型３０における本体部３１の上面や屋根部３２の下面に記しておくが、図１の状態においては、屋根部３２が閉じられた状態となっており、説明を受ける人は、その正解を知ることができないようになっている。
【００２４】
４．住宅模型
本実施態様の説明用パネルにおいては、図１〜３に示すように、４つの住宅模型（立体模型）３０を設けている。それぞれの住宅模型３０は、上述した４つのタイプのそれぞれの住宅に対応した形態を有している。それぞれの住宅模型３０は、下側パネル１０の上面に固定された本体部（本体）３１と、本体部３１の上部に対して開閉可能に固定された屋根部（蓋体）３２とで構成されている。本体部３１と屋根部３２は、図示省略のヒンジを介してその後端部同士を連結されている。また、本体部３１の側面と屋根部３２の側面は、図示省略の紐材（チェーンなど）によって連結されている。このため、図３に示すように、屋根部３２を開いて、屋根部３２の下面が鉛直となる場所まで移動した際に、その場所で屋根部３２が留まるようになっている。屋根部３２を開くことにより、本体部３１の上面及び屋根部３２の下面に記された内容が露出させることができる。
【００２５】
本体部３１の上面及び屋根部３２の下面に記す内容は特に限定されないが、本実施態様の説明用パネルにおいては、既に述べた通り、上側パネル２０に記載した質問に対する正解を記している。図６は、本考案の説明用パネルにおける住宅模型３０の本体部（本体）３１の上面及び屋根部（蓋体）３２の下面に記す内容の一例を示した図である。図６の上段は、屋根部３２の下面に記した内容であり、下段は、本体部３１の上面に記した内容である。また、図６の左側から１列目は、「Ａ社の４ｋｗ〜３ｋＷ太陽光発電設備付きの住宅」の結果を、左側から２列目は、「Ａ社の太陽光発電設備無しの住宅」の結果を、左側から３列目は、「Ｂ社の太陽光発電設備無しの住宅」の結果を、左側から４列目は、「Ｂ社の６ｋＷ〜４ｋＷの太陽光発電設備付きの住宅」の結果を示している。図６を見ると、「Ｂ社の６ｋＷ〜４ｋＷの太陽光発電設備付きの住宅」が一番安く、「Ｂ社の太陽光発電設備無しの住宅」が二番目に安いことが一目瞭然である。
【００２６】
５．ガイドレール
本実施態様の説明用パネルにおいては、図１〜３に示すように、断面コの字形の一対の金属製のレールをガイドレール４０として使用している。それぞれのガイドレール４０は、下側パネル１０に固定されているものの、上側パネル２０には固定されていない。このため、上側パネル２０の側部は、ガイドレール４０に保持されながらも、ガイドレール４０に対してスライドすることができるようになっている。下側パネル１０に対して上側パネル２０をスライドさせることができるのであれば、上側パネル２０のガイド手段は、このガイドレール４０を使用したものに限定されず、各種の構造のものを採用することができる。
【００２７】
６．本考案の説明用パネルを用いた商品の説明方法
続いて、図１〜３に示した説明用パネルを用いた住宅（商品）の説明方法について説明する。図７は、本考案の説明用パネルにおいて、上側パネル２０を奥側の限界位置までスライドさせた状態を示した平面図である。図８は、本考案の説明用パネルにおいて、上側パネル２０を図７に示す状態よりも手前側にスライドさせた状態を示した平面図である。図９は、本考案の説明用パネルにおいて、上側パネル２０を手前側の限界位置までスライドさせた状態を示した平面図である。以下の内容は、あくまで一例であり、本考案の説明用パネルの使用方法を限定するものではない。
【００２８】
住宅についての説明を開始する前には、図１に示すように、上側パネル２０が奥側の限界位置までスライドされて下側パネル１０の上面に記載された対比表１１（図２，３を参照）が隠された状態となっている。また、住宅模型３０の屋根部３２が本体部３１に対して閉じられた状態となっており、屋根部３２の下面及び本体部３１の上面に記された内容が見えない状態となっている。この状態において、説明者は、被説明者に対し、上側パネル２０の上面に記された内容（図５を参照）を示しながら、「同じ大きさの家で、高い家と安い家・太陽光が付いた家と付かない家、ローンと光熱費を合わせて、月々の支払いが一番安いのはどれでしょうか？」と質問を投げかける。この質問に対し、被説明者は、上側パネル２０の上面に記された内容を考慮しながら、その正解を考える。建物価格にオプション追加価格等を足した金額は、左側から３番目の「Ｂ社の太陽光発電なし」の住宅が「１，６４５万円」と一番安く、当該住宅が一番安いと答える被説明者が多いと考えられる。
【００２９】
被説明者から回答が得られると、説明者は、「それでは正解を確認してみましょう。」などと言い、図８に示すように、上側パネル２０を徐々に手前側へスライドさせていき、下側パネル１０の上面に記された対比表１１を行ごとに露出させていく。このとき、説明者は、「Ａ社の３ｋＷ太陽光発電の住宅は、３年目で月々実質８．５万円の支払額で・・・」といった具合に、現れた内容を順次説明していく。これにより、被説明者は、何年後にどれくらいの負担額となるのかを容易かつ時系列を追って理解することができる。また、説明者は、現れてくる内容を見ながら説明することができるので、説明内容を予め暗記しておく必要もない。これを最後（３５年目）まで繰り返し、図９に示すように、上側パネル２０を手前側の限界位置までスライドさせ、その順位を発表する。
【００３０】
最後に、図３に示すように、住宅模型３０の屋根部３２を開いて、図６に示すように、前記質問の正解を発表する。その結果、被説明者は、「Ｂ社  ６ｋＷ〜４ｋＷ太陽光発電付き」の住宅が正解であることを知る。建物価格にオプション追加価格を足した合計では二番目だった「Ｂ社  ６ｋＷ〜４ｋＷ太陽光発電付き」が正解だったことに被説明者は驚く。このため、被説明者には、住宅ローンと光熱費の合計金額では、「Ｂ社  ６ｋＷ〜４ｋＷ太陽光発電付き」が一番安いこと、及び「Ｂ社  太陽光発電なし」の住宅でもＡ社の住宅よりはかなり安いことが強く印象付けられる。したがって、当該住宅の購買意欲を掻き立てることができる。
【００３１】
ところで、本例では、最後に住宅模型３０の屋根部３２を開いて正解を発表する形をとったが、被説明者からの回答を得た後に住宅模型３０の屋根部３２を開いて正解を発表し、その後、上側パネル２０を手前側へスライドさせていくことにより、その種明かしをするという順序で説明してもよい。どのような順序を経るかは、説明する商品の種類や、状況などに応じて適宜変更することができる。
【符号の説明】
【００３２】
１０  下側パネル
１１  対比表
２０  上側パネル
２１  対比表
３０  住宅模型（立体模型）
３１  住宅の本体部（本体）
３２  住宅の屋根部（蓋体）
４０  ガイドレール
【手続補正２】
【補正対象書類名】図面
【補正対象項目名】全図
【補正方法】変更
【補正の内容】
【図１】
0003173443.tif 000012
【図２】
0003173443.tif 000013
【図３】
0003173443.tif 000014
【図４】
0003173443.tif 000015
【図５】
0003173443.tif 000016
【図６】
0003173443.tif 000017
【図７】
0003173443.tif 000018
【図８】
0003173443.tif 000019
【図９】
0003173443.tif 000020